(57)【要約】【課題】大型平面型映像表示装置を良好に運搬することができるようにすることを目的とする。【解決手段】大型平面型映像表示装置の背面に左右２個の把手２０Ｌ及び２０Ｒを固定し、この大型平面型映像表示装置の底面部の所定位置に凹形状の把持部２４ａ、２４ｂ、２４ｃ、２４ｄを設け、左側及び右側の人２５ａ及び２５ｂは、夫々一方の手でこの大型平面型映像表示装置の底面部の左側及び右側の外側の把持部２４ａ及び２４ｄを持ち、夫々他方の手でこの大型平面型映像表示装置の前面を支え、中の２人２５ｃ及び２５ｄは、夫々一方の手でこの大型平面型映像表示装置の底面部の内側の把持部２４ｂ及び２４ｃを持ち、夫々他方の手でこの大型平面型映像表示装置のこの把手２０Ｌ及び２０Ｒを握るようにして運搬するようにしたものである。【選択図】図１
2008152124.tif 000002
【特許請求の範囲】
【請求項１】
大型平面型映像表示装置の背面に左右２個の把手を固定し、前記大型平面型映像表示装置の底面部の所定位置に凹形状の把持部を設け、左側及び右側の人は、夫々一方の手で前記大型平面型映像表示装置の底面部の左側及び右側の外側の把持部を持ち、夫々他方の手で前記大型平面型映像表示装置の前面を支え、中の２人は、夫々一方の手で前記大型平面型映像表示装置の底面部の内側の把持部を持ち、夫々他方の手で前記大型平面型映像表示装置の前記把手を握るようにして運搬するようにしたことを特徴とする大型平面型映像表示装置の運搬機構。
【請求項２】
請求項１記載の大型平面型映像表示装置の運搬機構において、
前記大型平面型映像表示装置の背面の２個の把手は、前記大型平面型映像表示装置を構成する表示パネルの背面の補強用部品に固定したアームにリアカバーを介して取り付けたことを特徴とする大型平面型映像表示装置の運搬機構。
【請求項３】
請求項１記載の大型平面型映像表示装置の運搬機構において、
前記２個の把手は、夫々縦型であることを特徴とする大型平面型映像表示装置の運搬機構。
【請求項４】
請求項１記載の大型平面型映像表示装置の運搬機構において、
前記大型平面型映像表示装置の底面部の所定位置に凹形状の把持部を支持脚の一側及び他側に夫々２区画ずつとしたことを特徴とする大型平面型映像表示装置の運搬機構。
【請求項５】
大型平面型映像表示装置の背面に左右２個の把手を固定し、前記大型平面型映像表示装置の底面部の所定位置に凹形状の把持部を設け、左側及び右側の人は、夫々一方の手で前記大型平面型映像表示装置の底面部の左側及び右側の外側の把持部を持ち、夫々他方の手で前記大型平面型映像表示装置の前面を支え、中の２人は、夫々一方の手で前記大型平面型映像表示装置の底面部の内側の把持部を持ち、夫々他方の手で前記大型平面型映像表示装置の前記把手を握るようにして運搬するようにしたことを特徴とする大型平面型映像表示装置の運搬方法。
【発明の詳細な説明】
【技術分野】
【０００１】
本発明は、液晶ディスプレイパネル、プラズマディスプレイパネル（ＰＤＰ）等の表示パネルを使用した例えば６０インチ以上の映像表示画面を有する大型平面型映像表示装置の運搬機構及び運搬方法に関する。
【背景技術】
【０００２】
従来、液晶ディスプレイパネル、プラズマディスプレイパネル等の表示パネルを使用した平面型映像表示装置の運搬機構として、特許文献１に記載のものが提案されている。この特許文献１に記載のものは、可搬型の表示装置において、表示パネルの外形を形成する薄型のキャビネットと、このキャビネットの上部に設けられた把持部とを設けるようにしたものである。
【０００３】
この特許文献１に記載のものによれば、把持部を把持するユーザが持ち上げた場合に当該ユーザ側への傾斜を回避することができ、当該傾斜による持ち運び中のユーザへの弊害を防止することができる。
【０００４】
また、従来の映像表示装置の運搬機構として、特許文献２に記載のものが提案されている。この特許文献２に記載のものは、大型テレビのリアキャビネットの背面には約１／３の面積を占める最外形部が背面から最も突出する形で形成され、この最外形部からテーパ部に沿って窪んだ位置にある左右の面には把持部が形成され、この把持部は箱形の凹部からなり、その開口部は手の親指を除く４本の指がゆとりを持って差し込める程度の大きさに形成されたものである。
【０００５】
この特許文献２に記載のものによれば、運搬する際に、それぞれの側面に人が立ってフロントキャビネットの側面下側の段差部と把持部とにそれぞれ手を掛けて持ち上げるようにしたものである。
【特許文献１】特開２００４−２７９９８４号公報
【特許文献２】特開平１１−２６１９２５号公報
【発明の開示】
【発明が解決しようとする課題】
【０００６】
ところで、例えば液晶ディスプレイパネル、プラズマディスプレイパネル（ＰＤＰ）等の表示パネルを使用した例えば６０インチ以上の映像表示画面を有する大型平面型映像表示装置は、形状が大きく且つ重量が重い。例えば７０インチの液晶ディスプレイパネルを使用した大型平面型映像表示装置は、奥行きは比較的薄いが、映像表示画面の幅は略１．８ｍ、高さは略１ｍで且つ重量は略８５ｋｇである。
【０００７】
このため、特許文献１に記載の技術では、液晶ディスプレイパネル、プラズマディスプレイパネル（ＰＤＰ）等の表示パネルを使用した例えば６０インチ以上の映像表示画面を有する大型平面型映像表示装置を持ち上げることができず、運搬することができない不都合がある。
【０００８】
また、特許文献２に記載の技術では、上に持ち上げることができるが、この大型平面型映像表示装置のバランスをとりながら運搬する際には、前に倒れないようにしなければならず、良好に運搬することができない不都合があった。
【０００９】
本発明は、斯かる点に鑑み、大型平面型映像表示装置を良好に運搬することができるようにすることを目的とする。
【課題を解決するための手段】
【００１０】
本発明大型平面型映像表示装置の運搬機構は、大型平面型映像表示装置の背面に左右２個の把手を固定し、この大型平面型映像表示装置の底面部の所定位置に凹形状の把持部を設け、左側及び右側の人は、夫々一方の手でこの大型平面型映像表示装置の底面部の左側及び右側の外側の把持部を持ち、夫々他方の手でこの大型平面型映像表示装置の前面を支え、中の２人は、夫々一方の手でこの大型平面型映像表示装置の底面部の内側の把持部を持ち、夫々他方の手でこの大型平面型映像表示装置のこの把手を握るようにして運搬するようにしたものである。
【００１１】
本発明大型平面型映像表示装置の運搬機構は、請求項１記載の大型平面型映像表示装置の運搬機構において、この大型平面型映像表示装置の背面の２個の把手は、この大型平面型映像表示装置を構成する表示パネルの背面の補強用部品に固定したアームにリアカバーを介して取り付けたものである。
【００１２】
本発明大型平面型映像表示装置の運搬機構は、請求項１記載の大型平面型映像表示装置の運搬機構において、この２個の把手は、夫々縦型であるものである。
【００１３】
本発明大型平面型映像表示装置の運搬機構は、請求項１記載の大型平面型映像表示装置の運搬機構において、この大型平面型映像表示装置の底面部の所定位置に凹形状の把持部を支持脚の一側及び他側に夫々２区画ずつとしたものである。
【００１４】
本発明大型平面型映像表示装置の運搬方法は、大型平面型映像表示装置の背面に左右２個の把手を固定し、この大型平面型映像表示装置の底面部の所定位置に凹形状の把持部を設け、左側及び右側の人は、夫々一方の手でこの大型平面型映像表示装置の底面部の左側及び右側の外側の把持部を持ち、夫々他方の手でこの大型平面型映像表示装置の前面を支え、中の２人は、夫々一方の手でこの大型平面型映像表示装置の底面部の内側の把持部を持ち、夫々他方の手でこの大型平面型映像表示装置のこの把手を握るようにして運搬するようにしたものである。
【発明の効果】
【００１５】
本発明によれば、左側及び右側の人は、夫々一方の手でこの大型平面型映像表示装置の底面部の左側及び右側の外側の把持部を持ち、夫々他方の手でこの大型平面型映像表示装置の前面を支え、中の２人は、夫々一方の手でこの大型平面型映像表示装置の底面部の内側の把持部を持ち、夫々他方の手でこの大型平面型映像表示装置のこの把手を握るようにして運搬するので、大型平面型映像表示装置は前に倒れることなく良好に搬送することができる。
【００１６】
本発明によれば、この大型平面型映像表示装置の背面の２個の把手は、この大型平面型映像表示装置を構成する表示パネルの背面の補強用部品に固定したアームにリアカバーを介して取り付けたので、この２個の把手を強固に固定できる。
【００１７】
また、本発明によれば、この大型平面型映像表示装置の背面の２個の把手を、この大型平面型映像表示装置を構成する表示パネルの背面の補強用部品に固定したアームにリアカバーを介して取り付けたので、この２個の把手に掛かる荷重をこのアームより分散することができる。
【００１８】
本発明によれば、この２個の把手は、夫々縦型としたので、大型平面型映像表示装置が前に倒れるのを良好に支えることができる。
【発明を実施するための最良の形態】
【００１９】
以下、図面を参照して、本発明大型平面型映像表示装置の搬送機構及び搬送方法を実施するための最良の形態の例につき説明する。
【００２０】
図１は本例による大型平面型映像表示装置の背面下方より見た斜視図であり、図２はこの大型平面型映像表示装置の正面図であり、図３はこの大型平面型映像表示装置の背面図であり、図４はこの大型平面型映像表示装置の側面図であり、図５はこの大型平面型映像表示装置の底面図である。
【００２１】
図２において、１０は本例の大型平面型映像表示装置本体を構成する例えば７０インチの液晶ディスプレイパネルの表示パネルを示す。１１は映像表示画面である液晶ディスプレイパネル１０の前面と略同じ大きさの開口を有する板状の矩形の枠体のベズルを示し、このベズル１１は、例えばＡＢＳ（アクリルニトリルブタジエンスチレン）樹脂で射出成形により形成し、その後光沢塗装を施したものである。このベズル１１はフロントキャビネットに固定される。
【００２２】
また、１３はこのベズル１１の外周に設けられた透明部材より成る板状の矩形の所定の幅を有する枠体のセンターキャビネットを示し、このセンターキャビネット１３は、例えば透明なＰＣ（ポリカーボネート）樹脂を射出成形したものである。
【００２３】
このセンターキャビネット１３は、フロントキャビネットとリアカバー１４とで挟持するようにして固定したもので、このセンターキャビネット１３の外周をアルミ押出材１５で縁取りするようにする。また、図２において、１６は、この大型平面型映像表示装置を支持固定する支持脚である。
【００２４】
また、図２において、１７Ｌ及び１７Ｒは、映像表示画面である液晶ディスプレイパネル１０の左側及び右側のベズル１１上に設けた夫々スピーカを被う所定幅、所定高さのスピーカグリルを示す。
【００２５】
斯かる図２に示す如き、大型平面型映像表示装置においては、映像表示画面である液晶ディスプレイパネル１０を透明なセンターキャビネット１３で囲うようにしたので、映像表示画面を視認したときに映像表示画面が宙に浮いたような状態に見え、視聴者にデザイン的に開放的な感覚を与える。
【００２６】
本例においては、図１、図３、図４に示すように大型平面型映像表示装置の背面に左右２個の金属製の手で握る把手２０Ｌ及び２０Ｒを設ける。
【００２７】
この把手２０Ｌ及び２０Ｒは、図１、図３に示すように、この大型平面型映像表示装置の背面の上側で、左右の中心線に対称に所定間隔離した位置に上から下に向かう縦型に設ける。
【００２８】
この把手２０Ｌ及び２０Ｒを縦型としたときには、大型平面型映像表示装置の前倒れに対し、支える力が入れやすくなる。
【００２９】
この把手２０Ｌ及び２０Ｒは、例えば図６、図７に示す如くして設ける。図６は、液晶ディスプレイパネル１０の背面を示し、この液晶ディスプレイパネル１０の背面に、この液晶ディスプレイパネル１０の背面を補強する左右の中心線に対し、対称な所定間隔離した位置に２つの金属帯板より成るパネル背面補強部品２１Ｌ及び２１Ｒを設ける。
【００３０】
この金属帯板より成るパネル背面補強部品２１Ｌ及び２１Ｒの金属帯板の板厚を例えば２ｍｍとすると共に断面コ字状とし、強度を上げるようにする。
【００３１】
この２つの金属帯板より成るパネル背面補強部品２１Ｌ及び２１Ｒは、液晶ディスプレイパネル１０の背面の上下方向に亘って設ける。この２つの金属帯板より成るパネル背面補強部品２１Ｌ及び２１Ｒは、通常はこの液晶ディスプレイパネル１０の背面に設けられているので、この液晶ディスプレイパネル１０の背面に設けられているパネル背面補強部品を使用するようにしても良い。
【００３２】
本例においては、この２つの金属帯板より成るパネル背面補強部品２１Ｌ及び２１Ｒに、このパネル背面補強部品２１Ｌ及び２１Ｒに沿ったブリッジ形状の金属製のアーム２２Ｌ及び２２Ｒをビス２２ａ等で固定する。この金属製のアーム２２Ｌ及び２２Ｒは例えば断面コ字状に折り曲げた金属板により形成し、十分な強度を有するものを使用するようにする。このブリッジ形状の金属製のアーム２２Ｌ及び２２Ｒを形成する金属板の板厚を例えば２ｍｍとする。
【００３３】
この金属製のアーム２２Ｌ及び２２Ｒは、この把手２０Ｌ及び２０Ｒの固定の強度を上げると共にこの把手２０Ｌ及び２０Ｒに掛かる荷重を分散させるためのものである。また、この金属製のアーム２２Ｌ及び２２Ｒをこの金属製のアーム２２Ｌ及び２２Ｒにリアカバー１４の内面が沿うような形状にする。図６において、２３は、この液晶ディスプレイパネル１０のバックライト等の熱を冷却するための冷却用ファンである。
【００３４】
本例においては、この把手２０Ｌ及び２０Ｒを取り付けるに、図７に示すように、液晶ディスプレイパネル１０の背面の２つの金属帯板より成るパネル背面補強部品２１Ｌ及び２１Ｒにブリッジ形状の金属製のアーム２２Ｌ及び２２Ｒをビス２２ａ等で固定する。その後、合成樹脂より成るリアカバー１４を介して（挟んで）金属製の把手２０Ｌ及び２０Ｒをビス２０ａ等により、この金属製のアーム２２Ｌ及び２２Ｒの所定位置に固定するようにする。
【００３５】
この場合、この金属製のアーム２２Ｌ及び２２Ｒの把手２０Ｌ及び２０Ｒ側は、リアカバー１４の内面に沿うようになされ、この把手２０Ｌ及び２０Ｒは、リアカバー１４を介して（挟んで）この金属製のアーム２２Ｌ及び２２Ｒに強固に固定される。
【００３６】
また、本例においては、図１、図５に示すように、この大型平面型映像表示装置の底面部の所定位置に手で把持する凹形状の把持部２４ａ、２４ｂ、２４ｃ、２４ｄを設ける。本例においては、図１、図５に示すように、リアカバー１４の底部に４区画の把持部２４ａ、２４ｂ、２４ｃ及び２４ｄを設ける。
【００３７】
この４区画の把持部２４ａ、２４ｂ、２４ｃ及び２４ｄは、リアカバー１４を射出成形する際に一体に形成する。
【００３８】
この４区画の把持部２４ａ、２４ｂ、２４ｃ及び２４ｄは、図８に示すように奥側（液晶ディスプレイパネル１０の前面側）に行くに従って凹形状が深くなるようにし、手の親指を除く４本の指で把持し易くする。またこの４区画の把持部２４ａ、２４ｂ、２４ｃ及び２４ｄを手の親指を除く４本の指がゆとりを持って把持できる程度の大きさに形成する。この場合、この４区画の把持部２４ａ、２４ｂ、２４ｃ及び２４ｄを手で良好に把持できるようにする。
【００３９】
本例においては、この４区画の把持部２４ａ、２４ｂ、２４ｃ及び２４ｄを図１、図５に示すように、支持脚１６の左側（一側）に２区画の把持部２４ａ及び２４ｂを設けると共にこの支持脚１６の右側（他側）に２区画の把持部２４ｃ及び２４ｄを設けるようにする。この図１、図５例においては、この把持部２４ａ、２４ｂ、２４ｃ及び２４ｄを区画化したが、この把持部２４ａ、２４ｂ、２４ｃ及び２４ｄを連続するようにしても良い。その他は従来と同様に構成する。
【００４０】
本例は上述のように構成されているので、例えば７０インチの液晶ディスプレイパネル１０より成る大型平面型映像表示装置を搬送するときは、図９に示すように、左側の人２５ａ及び右側の人２５ｂは、夫々一方の手でこの大型平面型映像表示装置の底面部の左側及び右側の外側の把持部２４ａ及び２４ｄを持ち、夫々他方の手でこの大型平面型映像表示装置の前面を支える。
【００４１】
また、中の２人２５ｃ及び２５ｄは、夫々一方の手でこの大型平面型映像表示装置の底面部の内側の把持部２４ｂ及び２４ｃを持ち、夫々他方の手でこの大型平面型映像表示装置のこの把手２０Ｌ及び２０Ｒを握るようにする。
【００４２】
この場合、左側の人２５ａ及び右側の人２５ｂは、大型平面型映像表示装置の前面を夫々の他方に手で支え、また、中の２人２５ｃ及び２５ｄは、他方に手で把手２０Ｌ及び２０Ｒを握るので、この大型平面型映像表示装置は前に倒れることなく良好に運搬することができる。
【００４３】
本例によれば、この大型平面型映像表示装置の背面の２個の把手２０Ｌ及び２０Ｒは、この大型平面型映像表示装置を構成する液晶ディスプレイパネル（表示パネル）１０の背面の補強用部品２１Ｌ及び２１Ｒに固定したアーム２２Ｌ及び２２Ｒにリアカバー１４を介して（挟んで）取り付けたので、この２個の把手２０Ｌ及び２０Ｒを強固に固定できる。
【００４４】
また、本例によれば、この大型平面型映像表示装置の背面の２個の把手２０Ｌ及び２０Ｒを、この大型平面型映像表示装置を構成する液晶ディスプレイパネル（表示パネル）１０の背面の補強用部品２１Ｌ及び２１Ｒに固定したアーム２２Ｌ及び２２Ｒにリアカバー１４を介して（挟んで）取り付けたので、この２個の把手２０Ｌ及び２０Ｒに掛かる荷重をこのアーム２２Ｌ及び２２Ｒより分散することができる。
【００４５】
本例によれば、この２個の把手２０Ｌ及び２０Ｒは、夫々縦型としたので、大型平面型映像表示装置が前に倒れるのを良好に支えることができる。
【００４６】
また、本例によれば、この２個の把手２０Ｌ及び２０Ｒを強固に取り付けたので、この大型平面型映像表示装置の背面の２個の把手２０Ｌ及び２０Ｒに、図１０に示すように紐３０等を通し、この紐３０によりこの大型平面型映像表示装置を吊り上げることで、この２個の把手２０Ｌ及び２０Ｒを壁掛け時等の吊り上げ用に活用できる。
【００４７】
本例によれば、この２個の把手２０Ｌ及び２０Ｒを強固に取り付けたので、この大型平面型映像表示装置の背面の２個の把手２０Ｌ及び２０Ｒに、図１１に示すように紐３１等を通すことで、この２個の把手２０Ｌ及び２０Ｒをこの大型平面型映像表示装置の転倒防止用に活用できる。
【００４８】
尚、上述例においては、表示パネルとして液晶ディスプレイパネルを使用した例につき述べたが、この代わりに、プラズマディスプレイパネル等であっても良いことは勿論である。
【００４９】
また、本発明は、上述例に限ることなく本発明の要旨を逸脱することなく、その他種々の構成が採り得ることは勿論である。
【図面の簡単な説明】
【００５０】
【図１】本発明大型平面型映像表示装置の搬送機構を実施するための最良の形態の例を示す背面下方から見た斜視図である。
【図２】図１の正面図である。
【図３】図１の背面図である。
【図４】図１の側面図である。
【図５】図１の底面図である。
【図６】液晶ディスプレイパネルの例の背面斜視図である。
【図７】本発明の要部の例の分解側面図である。
【図８】本発明の要部の例の断面図である。
【図９】本発明の説明に供する線図である。
【図１０】把手の活用例を示す斜視図である。
【図１１】把手の活用他の例を示す斜視図である。
【符号の説明】
【００５１】
１０…液晶ディスプレイパネル（表示パネル）、１４…リアカバー、１６…支持脚、２０Ｌ、２０Ｒ…把手、２１Ｌ、２１Ｒ…補強用部品、２２Ｌ、２２Ｒ…アーム、２４ａ、２４ｂ、２４ｃ、２４ｄ…把持部、２５ａ、２５ｂ、２５ｃ、２５ｄ…人
【図１】
2008152124.tif 000003
【図２】
2008152124.tif 000004
【図３】
2008152124.tif 000005
【図４】
2008152124.tif 000006
【図５】
2008152124.tif 000007
【図６】
2008152124.tif 000008
【図７】
2008152124.tif 000009
【図８】
2008152124.tif 000010
【図９】
2008152124.tif 000011
【図１０】
2008152124.tif 000012
【図１１】
2008152124.tif 000013